(57)【要約】【課題】    現場で活動している緊急車両等であっても、現場の状況等に応じたグループの編成・再編成ができるようにする。【解決手段】    指令局に設けられて、緊急事態が発生した際に、車両の中から現場に急行する車両を決定して出動指令を出力すると共に、出動する車両が複数の場合に、この複数の車両をグループ化し、当該グループを特徴づけるグループ識別情報を、一般基地局を介して出力して、グループを構成する車両間及び指令局との間で専用基地局を介して通信が行えるようにする指令局ユニットと、車両に搭載されて、一般基地局を介して受信したグループ識別情報に基づき通信チャネルが設定されて、当該通信チャネルを用いて専用基地局を介して指令局及び他のグループを構成する車両と通信する車載ユニットと、を備える。【選択図】    図１
2015149638.tif 000002
【特許請求の範囲】
【請求項１】
指令局と、緊急事態に応じて現場に急行した車両との通信が行えるようにする緊急無線システムであって、
指令局に設けられて、緊急事態が発生した際に、前記車両の中から現場に急行する車両を決定して出動指令を出力すると共に、出動する車両が複数の場合に、この複数の車両をグループ化し、当該グループを特徴づけるグループ識別情報を、一般基地局を介して出力して、グループを構成する前記車両間及び前記指令局との間で専用基地局を介して通信が行えるようにする指令局ユニットと、
前記車両に搭載されて、前記一般基地局を介して受信した前記グループ識別情報に基づき通信チャネルが設定されて、当該通信チャネルを用いて前記専用基地局を介して前記指令局及び他のグループを構成する前記車両と通信する車載ユニットと、
を備えることを特徴とする緊急無線システム。
【請求項２】
請求項１に記載の緊急無線システムであって、
前記指令局ユニットは、グループ化された前記車両が現場にいるとき又は移動中であっても、各車両の出動状態や位置情報を含む車両情報に基づき再グループ化を行って、前記一般基地局を介して該当車両に通知することを特徴とする緊急無線システム。
【請求項３】
請求項１又は２に記載の緊急無線システムであって、
前記指令局ユニットは、
前記車両情報を作成・管理して出動指令及びグループ識別情報を出力する出動指定装置と、
緊急事態が発生した際に、前記車両情報に基づき出動する車両を指定すると共に、前記車両と通信する指令制御装置と、
を備えることを特徴とする緊急無線システム。
【請求項４】
請求項１乃至３のいずれか１項に記載の緊急無線システムであって、
前記専用基地局は、前記指令局の業務に対応して割り当てられたチャネルで通信し、前記一般基地局は、公衆が利用するためのチャネルで通信することを特徴とする緊急無線システム。
【請求項５】
指令局と、緊急事態に応じて現場に急行した複数の車両との通信が行えるようにし、かつ、その際にするグループ通信が行えるようにグループ編成するためのグループ車両編成方法であって、
指令局に設けられて、緊急事態が発生した際に、前記車両の中から現場に急行する車両を決定して出動指令を出力すると共に、出動する車両が複数の場合に、この複数の車両をグループ化し、当該グループを特徴づけるグループ識別情報を、一般基地局を介して出力して、グループを構成する前記車両間及び前記指令局との間で専用基地局を介して通信が行えるようにする通信相手設定手順と、
前記車両に搭載されて、前記一般基地局を介して受信した前記グループ識別情報に基づき通信チャネルが設定されて、当該通信チャネルを用いて前記専用基地局を介して前記指令局及び当該グループを構成する他の前記車両と通信する通信手順と、
を含むことを特徴とするグループ車両編成方法。
【請求項６】
請求項５に記載のグループ車両編成方法であって、
通信相手設定手順は、グループ化された前記車両が現場にいるとき又は移動中であっても、各車両の出動状態や位置情報を含む車両情報に基づき再グループ化を行って、前記一般基地局を介して該当車両に通知することを特徴とするグループ車両編成方法。
【請求項７】
請求項５又は６に記載のグループ車両編成方法であって、
前記専用基地局は、前記指令局の業務に対応して割り当てられたチャネルで通信し、前記一般基地局は、公衆が利用するためのチャネルで通信することを特徴とするグループ車両編成方法。
【発明の詳細な説明】
【技術分野】
【０００１】
本発明は、緊急無線システム及びグループ車両編成方法に関する。
【背景技術】
【０００２】
緊急無線システムにおいて、指令局（例えば、消防署）と複数の車両（例えば、消防自動車）とが通信できるようになっている。このとき、全ての車両と通信する「一斉通信」、特定のグループとの間だけで通信する「グループ通信」、特定の車両だけで通信する「個別通信」を形成して通信することが行われている。
【０００３】
例えば、特開２００９−２６５９５８号公報においては、セレコールグループ番号と呼ばれる識別子により、車両をグループ化する技術が開示されている。そして、緊急通報が受信されると、事案毎に出動する車両に対してセレコールグループ番号を付与する。これにより、同じセレコールグループ番号の車両だけがグループ通信を行うことができるようになる。
【先行技術文献】
【特許文献】
【０００４】
【特許文献１】特開２００９−２６５９５８号公報
【発明の概要】
【発明が解決しようとする課題】
【０００５】
しかしながら、特開２００９−２６５９５８号公報に係る構成では、セレコールグループ番号の付与は、指令局の管轄下の基地局を介して通知されるため、現場にいる車両等の出発前の車両に対してはグループ車両として編成・再編成することができない場合があった。
【０００６】
即ち、この基地局は業務用に設置されているため局数が少ない。このため、例えば出動先で建物の陰にいる車両に対しては、電波が届かない等の電波傷害が発生することがある。また、別の緊急事態が発生したために、急遽別のグループに編入したいような場合にも当該電波障害が起きると、編入できなくなってしまう。
【０００７】
そこで、本発明の主目的は、現場で活動している緊急車両等であっても、現場の状況等に応じたグループの編成・再編成ができるようにした緊急無線システムを提供することである。
【課題を解決するための手段】
【０００８】
上記課題を解決するため、指令局と、緊急事態に応じて現場に急行した車両との通信が行えるようにする緊急無線システムに係る発明は、指令局に設けられて、緊急事態が発生した際に、車両の中から現場に急行する車両を決定して出動指令を出力すると共に、出動する車両が複数の場合に、この複数の車両をグループ化し、当該グループを特徴づけるグループ識別情報を、一般基地局を介して出力して、グループを構成する車両間及び指令局との間で専用基地局を介して通信が行えるようにする指令局ユニットと、車両に搭載されて、一般基地局を介して受信したグループ識別情報に基づき通信チャネルが設定されて、当該通信チャネルを用いて専用基地局を介して指令局及び他のグループを構成する車両と通信する車載ユニットと、を備えることを特徴とする。
【０００９】
また、指令局と、緊急事態に応じて現場に急行した複数の車両との通信が行えるようにし、かつ、その際にするグループ通信が行えるようにグループ編成するためのグループ車両編成方法に係る発明は、指令局に設けられて、緊急事態が発生した際に、車両の中から現場に急行する車両を決定して出動指令を出力すると共に、出動する車両が複数の場合に、この複数の車両をグループ化し、当該グループを特徴づけるグループ識別情報を、一般基地局を介して出力して、グループを構成する車両間及び指令局との間で専用基地局を介して通信が行えるようにする通信相手設定手順と、車両に搭載されて、一般基地局を介して受信したグループ識別情報に基づき通信チャネルが設定されて、当該通信チャネルを用いて専用基地局を介して指令局及び当該グループを構成する他の車両と通信する通信手順と、を含むことを特徴とする。
【発明の効果】
【００１０】
本発明によれば、グループ識別情報を、一般基地局を介して出力するので、現場で活動している緊急車両等であっても、現場の状況等に応じたグループの編成・再編成ができるようになる。
【図面の簡単な説明】
【００１１】
【図１】本実施形態に係る緊急無線システム２のブロック図である。
【図２】グループ編成手順を例示したフローチャートである。
【図３】車両情報を示した例示した図で、（ａ）は火災が発生する前の車両情報を示す画面、（ｂ）は火災が発生してグループ編成された後の車両情報を示す画面である。
【発明を実施するための形態】
【００１２】
本発明の実施形態を説明する。図１は、本実施形態に係る緊急無線システム２のブロック図である。この緊急無線システム２は、指令局ユニット４、基地局６、車載ユニット５を主要構成とする。
【００１３】
指令局ユニット４は、例えば消防署等の指令を発する施設に設置されて、出動指定装置４ａ、指令制御装置４ｂ、管理監視制御卓４ｃ、及び、無線回線制御装置４ｄを備える。また、車載ユニット５は、消防自動車等の現場作業車両に搭載される移動局５ａ及び車載端末５ｂを備える。さらに、基地局６は、緊急無線システム２に割り振られた周波数で通信を行う専用施設である専用基地局６ａと、一般公衆が携帯電話等で利用する一般施設である一般基地局６ｂとを含む。
【００１４】
なお、以下の説明では指令局ユニット４は消防署に配置され、車載ユニット５は消防自動車に搭載されて、緊急無線システム２が、消防・救急無線システムを構成する場合を例に説明するが、運送システム等の他のシステムに利用することも可能である。
【００１５】
指令局ユニット４における出動指定装置４ａは、指令局ユニット４が管理する車両の出動状態を管理すると共に、各車両に出動指令を行い又一般基地局６ｂを介してグループ編成された車両にグループ識別番号ＩＤ（グループＩＤ）を出力する。
【００１６】
指令制御装置４ｂは、出動する消防隊員や救急隊員等の隊員及び車両を決定して出動指令を行うと共に現場の車両と通信する。このとき、指令制御装置４ｂは、配下の車両の状態（出動中であるか否か、出動先等）示す車両情報に基づき地図上にマッピング表示して、指令者に情報提供を行う。
【００１７】
管理監視制御卓４ｃは、緊急無線システム２における各装置の監視及び制御を行う。
【００１８】
無線回線制御装置４ｄは、指令制御装置４ｂと無線回線制御装置４ｄとの通信、及び、専用基地局６ａを経由した移動局５ａとの間の通信の制御を行う。
【００１９】
車載ユニット５における移動局５ａは、車載端末５ｂから通信チャネルの指定を受けて、当該チャネルを用いて専用基地局６ａを介して指令制御装置４ｂと通信する。
【００２０】
車載端末５ｂは、ＧＰＳ機能を有して、一般基地局６ｂを介して出動指定装置４ａに自車位置情報を送信すると共に、出動指定装置４ａからグループＩＤに関する情報受信する。
【００２１】
このような構成で、指令局（消防署等）の配下の車両（消防自動車等）が火災現場Ａに複数台出動して消火活動を行っているときに、別の火災Ｂが発生した場合を考える。そして、指令局に残っている車両と、火災現場Ａで消火活動を行っている車両の一部を火災現場Ｂに急行させる場合を考える。図２は、このときのグループ編成手順を例示したフローチャートである。
【００２２】
また、図３は、そのときの車両情報を示した例示した図で、（ａ）は火災Ｂが発生する前の車両情報を示す画面、（ｂ）は火災Ｂが発生してグループ編成された後の車両情報を示す画面である。図３（ａ），（ｂ）に示す車両情報の画面１１は、配下の車両を示す車両欄１１ａ、車両が出動又は待機であるかを示す状態欄１１ｂ、出動場所を示す出動場所欄１１ｃ、グループ編成されているときのグループＩＤ欄１１ｄにより構成されている。即ち、車両情報の画面１１は、車両情報１１ａ〜１１ｃとグループ情報１１ｄとにより構成されている。また、図示しないが、各車両の出動場所がマップ上に表示され、かつ、そのときのグループが色分け等の方法で表示されている。図３における車両情報の画面１１には、車両情報１１ａ〜１１ｃとグループ情報１１ｄとが表示されている。無論、表示方法は例示であって、適宜変更可能である。
【００２３】
そして、図３（ａ）では、車両５＿１〜車両５＿２が、出動場所欄１１ｃで示される火災現場Ａに出動中であり、車両５＿４〜車両５＿６が待機していることが示されている。
【００２４】
ステップＳ１〜Ｓ３：  指令制御装置４ｂは、火災Ｂが発生したとの通報（出動要請）を受けると、当該指令制御装置４ｂは、図３（ａ）に示すような車両情報に基づき、現場に急行させる車両を決定する。なお、この出動要請には、現場に出動している車両等から、火災が想像以上に大きい等の場合に車両の追加要請（応援要請）も含まれる。
【００２５】
そこで、指令者は、この車両情報の画面１１に基づき、車両５＿４，車両５＿５を火災現場Ｂに出動させると決定したとする（図３（ｂ）参照）。即ち、車両５＿４，車両５＿５はグループ編成されて火災現場Ｂに出動すると決定したとする。グループ編成された車両に関する指令は、指令制御装置４ｂを介して出動指定装置４ａに出力される。
【００２６】
出動指定装置４ａは、車両の状況を車両情報として管理し、また通信に用いられる通信チャネルをチャネル情報として管理している。そこで、出動指定装置４ａは、チャネル情報から空きの通信チャネルを選択することにより、通知されたグループで使用する通信チャネルを決定し、これをグループＩＤとして決定した車両に通知する。
【００２７】
そして、出動指定装置４ａは、該当する車両に対して出動指令及びグループＩＤを、専用基地局６ａを介して通知する（ステップＳ９）と共に、グループ編成に伴う変更を既存の車両情報に反映させて指令制御装置４ｂに出力する。図３（ｂ）では、火災現場Ｂに出動する車両のグループＩＤが「２」の場合を例示している。
【００２８】
ステップＳ４，Ｓ５：  一方、ステップＳ２で待機している車両に余裕がない場合には、指令者は既に出動している車両で回せる車両がないかを検討する。待機している車両だけでグループが編成できるとき（必要車両が確保できるとき）は、待機している車両で出動する車両を決定するが、必要車両が確保できない場合には火災現場Ａに出動している車両を回せないか否かを検討する。
【００２９】
例えば、火災現場Ａは鎮火又は鎮火傾向にあるときに、火災現場Ａに出動している車両を指令局に戻すよりも、そのまま火災現場Ｂに直行させた方が好ましい場合もある。既出動している車両の現場を他の現場に出動させることができる場合は、指令者は指令制御装置４ｂに該当車両を通知する。これにより該当車両に出動指令及びグループＩＤが通知される（ステップＳ９）。
【００３０】
このとき、待機している車両に対する出動指令及びグループＩＤは、専用基地局６ａ又は一般基地局６ｂから通知されるが、既出動の車両に対しては、一般基地局６ｂから通知される。
【００３１】
少なくとも、既出動している車両への通知を、一般基地局６ｂを介して行うのは、以下の理由による。即ち、一般基地局６ｂは、例えば携帯電話等で利用される基地局である。専用基地局６ａは、消防活動のために設けられた基地局であるため、基地局数は、一般基地局６ｂの方が多い。このことは、例えば、既出動している車両の現在位置に依存した電波障害（建物の陰で電波が届かない等）等が、専用基地局６ａを介するより一般基地局６ｂを介した方が少ないことを意味する。そこで、既出動している車両への通知を、一般基地局６ｂを介して行うことで、確実な通知が行えるようにしている。
【００３２】
ステップＳ６〜Ｓ８：  ところが、火災現場Ａでは消火作業中のため車両の現場を他の現場に変更させることができない場合や、例え現場の変更が可能であっても火災Ｂが工場火災で車両の絶対数が不足するような場合もある。この様な場合には、指令局の管轄以外の他の消防署（指令局）に救援要請を行うことがある。指令局は他の指令局に救援要請を行った結果、車両の手配ができた場合には、当該手配できた車両を含めてグループ編成し、各車両に出動指令及びグループＩＤを、一般基地局６ｂを介して通知する。
【００３３】
このときの通知も一般基地局６ｂを介して行うが、これは先に説明した電波傷害以外にも、指令局が管轄する専用基地局６ａからの電波が、他の指令局の車両に届かない場合がある不都合を防止するためである。
【００３４】
ステップＳ９：  グループＩＤの通知を受けた該当車両は、グループＩＤが示すチャネルに通信チャネルを設定して、グループ間での通信を行う。グループＩＤに基づくチャネル設定は、手動、自動いずれの方法でも良い。
【００３５】
なお、グループ編成された後（グループ通信中を含む）に、グループを構成している車両の１台（１台以上を含む）が電波障害により通信できなくなる場合もある。この様な場合には、当該通信ができなくなった車両から指令局にその旨を通知して、チャネル変更を行う。このような通信不良の通知は利用できる専用基地局６ａ又は一般基地局６ｂを介して行う。従って、確実にグループ間通信が行えるようになる。
【００３６】
以上説明したように、一般基地局を利用して出動指令及びグループＩＤを通知するので、車両の現在位置に関わらずグループ編成や再編成が動的に行えるようになり、迅速な消火活動が行えるようになると共に、グループ通信の内容が他の車両に傍受されるような不都合が防止できる。
【符号の説明】
【００３７】
２    緊急無線システム
４    指令局ユニット
４ａ    出動指定装置
４ｂ    指令制御装置
４ｃ    管理監視制御卓
４ｄ    無線回線制御装置
５    車載ユニット
５ｂ    車載端末
５ａ    移動局
６    基地局
６ａ    専用基地局
６ｂ    一般基地局
【図１】
2015149638.tif 000003
【図２】
2015149638.tif 000004
【図３】
2015149638.tif 000005